(57)【特許請求の範囲】
【請求項１】
表示部と、
前記表示部に複数の画面を並べて表示する画面制御部と、
前記表示部の表面に対するユーザ入力を受け付けるタッチ検知部と、
前記表示部に複数の画面を並べた場合におけるそれぞれの画面に対応したアプリケーションの操作を受け付けるタッチ検知部の検知領域を、該複数の画面の大きさに応じて、いずれか１つの画面に対応した領域に設定する検知領域設定部と、
を備えることを特徴とする携帯通信端末。
【請求項２】
表示部と、
前記表示部に複数の画面を並べて表示する画面制御部と、
前記表示部の表面に対するユーザ入力を受け付けるタッチ検知部と、
前記表示部に複数の画面を並べた場合におけるそれぞれの画面に対応したアプリケーションの操作を受け付けるタッチ検知部の検知領域を、該複数の画面の境界線の位置に応じて、いずれか１つの画面に対応した領域に設定する検知領域設定部と、
を備えることを特徴とする携帯通信端末。
【請求項３】
前記画面制御部は、チャンネル切換可能な動画配信を表示することを特徴とする請求項１または２に記載の携帯通信端末。
【請求項４】
前記複数の画面のチャンネル切換を、それぞれ前記設定された検知領域における上下と左右の操作入力に割り当てることを特徴とする請求項３に記載の携帯通信端末。
【請求項５】
前記画面制御部は、さらに、前記複数の画面それぞれの表示領域に応じて、表示すべき画像の解像度、大きさ、配置の群のうち１または２以上を変更することを特徴とする請求項１から４のいずれか１項に記載の携帯通信端末。
【請求項６】
画面の領域状態を記憶する領域記憶部をさらに備え、
前記画面制御部は、当該携帯通信端末の起動時に前記領域記憶部を参照して前回値と同じ領域状態で表示を開始することを特徴とする請求項１から５のいずれか１項に記載の携帯通信端末。
【請求項７】
表示部と、該表示部に複数の画面を並べて表示する画面制御部と、該表示部の表面に対するユーザ入力を受け付けるタッチ検知部と、を備える携帯通信端末を操作する端末操作方法であって、
前記表示部に複数の画面を並べて表示し、
前記タッチ検知部を通じたユーザ入力に応じて画面の領域の大きさを変化させ、
前記複数の画面それぞれの画面に対応したアプリケーションの操作を受け付けるタッチ検知部の検知領域を、該複数の画面の大きさに応じて、いずれか１つの画面に対応した領域に設定することを特徴とする端末操作方法。
【発明の詳細な説明】
【技術分野】
【０００１】
本発明は、複数の画面を並べて表示することが可能な携帯通信端末および端末操作方法に関する。
【背景技術】
【０００２】
２００３年１２月から開始された地上波デジタル放送は、全国に受信可能エリアを拡大し、従来の地上波アナログ放送の終了に向けて利用者も増加の傾向にある。地上デジタル放送は、ＯＦＤＭ（Orthogonal Frequency Division Multiplex：直交周波数分割多重）による、固定テレビジョン装置受信用の１２セグメントと、携帯通信端末受信用の１セグメント（以下、単にワンセグ放送という。）との１３セグメントを有する電波を介して放送信号を伝達する方式であり、地上波アナログ放送と比べて、ゴーストや雑音が抑制されたより高品質な映像と音声を受信することができる。
【０００３】
ワンセグ放送は、携帯電話やＰＨＳ(Personal Handy phone System)等に代表される携帯通信端末によって場所や時間を問わず視聴可能であり、その携帯性を活かした新たな利用形態が検討されつつある。
【０００４】
このような携帯通信端末においてワンセグ放送の視聴を試みたとき、ユーザは、例えば、特許文献１に記載されているように携帯通信端末のダイヤルプッシュボタンをリモコンのように操作してテレビ番組を選局する。このように、ユーザは、各放送局と対応付けられた操作キーを操作するか、アプリケーション専用のメニューを通じて操作することで、所望するテレビ番組を視聴することができる。
【特許文献１】特開２００５−４５３５０号公報
【発明の開示】
【発明が解決しようとする課題】
【０００５】
また、ワンセグ放送の利用者増加に伴い、上述したワンセグ放送のチューナを携帯通信端末に複数搭載し、同時に複数のテレビ番組を視聴したいというニーズが生じている。しかし、このような複数のテレビ番組の同時視聴に上述した従来技術を単に用いた場合、複数のチューナ毎に操作部が必要となる。このような操作領域の拡大は携帯通信端末自体の大型化を招くこととなる。
【０００６】
仮に複数の画面に表示したテレビ番組を同一の操作部を用いて操作させようとすると、現在操作しているテレビ番組がいずれの画面のものかを特定する必要が生じる。このような操作部の併用は、複数の操作ステップの追加を要し、ユーザに煩雑な操作を強いることとなり、迅速なチャンネル切換を妨げるおそれがある。従って、複数のテレビ番組を視聴する場合の専用のユーザインターフェースが望まれる。
【０００７】
本発明は、このような問題に鑑み、携帯通信端末の大型化を伴うことなく、表示部表面を有効利用し、表示形態に応じて適切に検知領域を設定することで、容易かつ直感的なユーザ操作が可能な携帯通信端末および端末操作方法を提供することを目的としている。
【課題を解決するための手段】
【０００８】
上記課題を解決するために、本発明にかかる携帯通信端末の代表的な構成は、表示部と、表示部に複数の画面を並べて表示する画面制御部と、表示部の表面に対するユーザ入力を受け付けるタッチ検知部と、表示部に複数の画面を並べた場合におけるそれぞれの画面に対応したアプリケーションの操作を受け付けるタッチ検知部の検知領域を、複数の画面の大きさに応じて、いずれか１つの画面に対応した領域に設定する検知領域設定部と、を備えることを特徴とする。
【０００９】
通常、携帯通信端末においては、テレビ番組の視聴に至るまでの操作が専用のテレビジョン装置と比較して煩雑になる。また、その機種毎に操作キーや操作手順が異なり、使いこなすまで時間がかかるといった問題も顕在している。ここでは、タッチ検知部を通じて、複数の画面のうち所望する任意の画面を拡大することができ、また、その画面比において優先度の低い画面、例えば縮小された画面を検知領域に設定することができる。本発明では、このように、画面比の変更と検知領域の設定を連動して遂行し、容易かつ直感的なユーザ操作を可能にしている。
【００１０】
本発明にかかる携帯通信端末の代表的な他の構成は、表示部と、表示部に複数の画面を並べて表示する画面制御部と、表示部の表面に対するユーザ入力を受け付けるタッチ検知部と、表示部に複数の画面を並べた場合におけるそれぞれの画面に対応したアプリケーションの操作を受け付けるタッチ検知部の検知領域を、複数の画面の境界線の位置に応じて、いずれか１つの画面に対応した領域に設定する検知領域設定部と、を備えることを特徴とする。
【００１１】
上述した発明では、検知領域を複数の画面の大きさに応じて設定しているが、本発明では、画面の境界線の位置に応じて設定する。かかる構成により、画面の大きさによる設定同様、画面比の変更と検知領域の設定を連動して遂行し、容易かつ直感的なユーザ操作が可能となる。
【００１２】
画面制御部は、チャンネル切換可能な動画配信を表示してもよい。かかる構成により、検知領域設定部で設定された検知領域の対向する位置に触れる等の直感的な操作で動画配信のチャンネルを切り換えることが可能となる。
【００１３】
複数の画面のチャンネル切換を、それぞれ設定された検知領域における上下と左右の操作入力に割り当ててもよい。
【００１４】
かかる構成により、検知領域設定部で設定された検知領域を少なくとも上下および左右といった独立した２つの系統で入力することができ、複数の画面を効率的かつ直感的に操作することが可能となる。
【００１５】
画面制御部は、さらに、複数の画面それぞれの表示領域に応じて、表示すべき画像の解像度、大きさ、配置の群のうち１または２以上を変更してもよい。
【００１６】
本発明では、解像度の拡大縮小、大きさ（画面サイズ）の変更、およびデータ放送等の配置の変更を行うことで、タッチ検知部によって変更された表示領域に各画面を最適化して表示することができる。
【００１７】
画面の領域状態を記憶する領域記憶部をさらに備え、画面制御部は、当該携帯通信端末の起動時に領域記憶部を参照して前回値と同じ領域状態で表示を開始してもよい。
【００１８】
かかる構成により、前回携帯通信端末を切断したときの画面の状態から再投入することができ、前回と同じ設定処理を再度実行することなく、最適な表示状態を形成することができる。
【００１９】
本発明の代表的な他の構成は、表示部と、表示部に複数の画面を並べて表示する画面制御部と、表示部の表面に対するユーザ入力を受け付けるタッチ検知部と、を備える携帯通信端末を操作する端末操作方法であって、表示部に複数の画面を並べて表示し、タッチ検知部を通じたユーザ入力に応じて画面の領域の大きさを変化させ、複数の画面それぞれの画面に対応したアプリケーションの操作を受け付けるタッチ検知部の検知領域を、複数の画面の大きさに応じて、いずれか１つの画面に対応した領域に設定することを特徴とする。
【００２０】
上述した携帯通信端末の技術的思想に基づく構成要素やその説明は、当該端末操作方法にも適用可能である。
【発明の効果】
【００２１】
以上説明したように本発明によれば、携帯通信端末の大型化を伴うことなく、表示部表面を有効利用し、表示形態に応じて適切に検知領域を設定することで、容易かつ直感的なユーザ操作が可能となる。
【発明を実施するための最良の形態】
【００２２】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２３】
（無線通信システム１００）
図１は、無線通信システム１００の概略的な接続関係を示した説明図である。当該無線通信システム１００は、携帯通信端末１１０と、携帯通信端末１１０のアクセスポイントとしての基地局１２０と、基地局１２０に接続されＩＳＤＮ(Integrated Services Digital Network)回線、インターネット、専用回線等で構成される通信網１３０と、通信網１３０に接続された動画配信サーバ１４０と、地上波デジタル放送を発信する放送局１５０と、を含んで構成される。
【００２４】
当該無線通信システム１００では、携帯通信端末１１０は、基地局１２０を通じて他の携帯通信端末１１０との通話や通信を実行でき、また、通信網１３０を介して動画配信サーバ１４０からストリーミング等の動画配信を受けることができる。また、その他の無線機構としてワンセグ放送を受信するチューナを備え、テレビ番組を視聴することが可能である。本実施形態では、このような携帯通信端末１１０の表示部表面を有効利用し、表示形態に応じて適切に検知領域を設定することで、容易かつ直感的なユーザ操作を実行することを目的としている。以下、携帯通信端末１１０の具体的な構成を述べ、その操作を端末操作方法として後述する。
【００２５】
（携帯通信端末１１０）
図２は、携帯通信端末１１０のハードウェア構成を示した機能ブロック図であり、図３は、携帯通信端末１１０の外観を示した斜視図である。携帯通信端末１１０は、端末制御部２１０と、端末メモリ２１２と、表示部２１４と、操作キー群２１６と、タッチ検知部２１８と、音声入力部２２０と、音声出力部２２２と、端末無線通信部２２４と、ワンセグ受信部２２６とを含んで構成される。
【００２６】
かかる携帯通信端末１１０としては、携帯電話、ＰＨＳ端末、ノート型パーソナルコンピュータ、ＰＤＡ（Personal Digital Assistant）、デジタルカメラ、音楽プレイヤー、カーナビゲーション、ゲーム機器、ＤＶＤプレイヤー等無線通信可能な様々な電子機器を用いることもできる。
【００２７】
端末制御部２１０は、中央処理装置（ＣＰＵ）を含む半導体集積回路により携帯通信端末１１０全体を管理および制御し、端末メモリ２１２のプログラムを用いて、通話機能、メール送受信機能、撮像機能、音楽再生機能、ＴＶ視聴機能も遂行する。端末メモリ２１２は、ＲＯＭ、ＲＡＭ、ＥＥＰＲＯＭ、不揮発性ＲＡＭ、フラッシュメモリ、ＨＤＤ等で構成され、端末制御部２１０で処理されるプログラムや通信データ等を記憶する。また、端末メモリ２１２は、画面の領域状態を記憶する領域記憶部２３０としても機能する。
【００２８】
表示部２１４は、液晶ディスプレイ、ＥＬ(Electro Luminescence)等で構成され、後述するワンセグ受信部２２６で受信されたワンセグ放送の他、端末メモリ２１２に記憶された、または通信網１３０を介して動画配信サーバ１４０から提供される動画データ、他のＷｅｂサーバから提供される、Ｗｅｂコンテンツ、アプリケーションのＧＵＩ（Graphical User Interface）等を表示することができる。
【００２９】
操作キー群２１６は、キーボード、十字キー、ジョイスティック等の可動スイッチで構成され、ユーザの操作入力を受け付ける。
【００３０】
タッチ検知部２１８は、表示部２１４表面に対するその表示に対応したユーザの操作入力を受け付ける。かかるタッチ検知部２１８の検知方式としては、抵抗膜方式（感圧式）、静電容量方式、赤外遮光方式、超音波表面弾性波方式、電磁誘導方式、静電結合方式、音響パルス認識方式、画像認識方式等様々な既存の方式を用いることができる。また、表示部２１４に一体的に形成された光センサにより、表示部２１４表面に置かれた物体を認識する方式も本実施形態の技術範囲に属する。
【００３１】
かかるタッチ検知部２１８により、例えば、操作キー群２１６を用いなくとも表示部２１４の画面に合わせた直感的なユーザ入力を受け付けることができ、また、表示部２１４に表示したＷｅｂコンテンツのスクロールやポインティング等のアナログ操作も可能となる。
【００３２】
音声入力部２２０は、マイク等の音声認識手段で構成され、通話時に入力されたユーザの音声を携帯通信端末１１０内で処理可能な電気信号に変換する。音声出力部２２２は、スピーカで構成され、携帯通信端末１１０で受信した通話相手の音声信号を音声に変えて出力する。また、着信音や、操作キー群２１６やタッチ検知部２１８の操作音、アラーム音等も出力できる。
【００３３】
端末無線通信部２２４は、ＣＤＭＡ（Code Division Multiple Access）やＷｉＭＡＸ（Worldwide Interoperability for Microwave Access）等の無線通信方式を通じて基地局１２０との無線通信を確立し、通信相手との音声通信やＷｅｂサーバとのデータ通信を遂行する。また、本実施形態の端末無線通信部２２４は、動画配信サーバ１４０から動画データおよび音声データを受信しつつ、その動画データおよび音声データを再生する所謂ストリーミング等の動画配信を受け付けることができる。ワンセグ受信部２２６は、ワンセグ放送を受信することができ、特に本実施形態では、そのワンセグ放送を受信するチューナを２つ搭載することによって２つのテレビ番組を独立して受信することが可能となる。
【００３４】
また、上述した端末制御部２１０は、画面制御部２４０と、検知領域設定部２４２として機能する。
【００３５】
画面制御部２４０は、表示部２１４に出力する画像を制御し、例えば、表示すべき画像が複数存在する場合に、表示部２１４を複数の領域に分割し、それぞれの領域に独立して複数の画面、例えばワンセグ放送やストリーミングといった動画データを並べることができる。また、後述するチャンネル切換同様、ページをめくるが如く切り換える電子書籍やコマ送りする静止画を表示することも可能である。
【００３６】
図４は、画面制御部２４０による画面表示例を示した外観図である。ここでは、境界線２５０によって表示部２１４が均等に２分割された画面２６０、２６２となり、それぞれ異なるチャンネルのテレビ番組を表示している。
【００３７】
検知領域設定部２４２は、表示部２１４に複数の画面が均等な大きさで並べられているとき、それぞれの画面に対応したアプリケーションの操作を受け付けるタッチ検知部２１８の検知領域を、それぞれの画面に対応した（画面と重畳した）領域に設定する。図４の例では、２分割された画面２６０、２６２の表面を指でなぞるとそれぞれの画面に対応したアプリケーションを操作できる。特に画面２６０に関して、画面２６０の中央上部領域２７０に接触すると画面２６０に表示されているワンセグ放送のチャンネルがインクリメントされ、逆に中央下部領域２７２に接触するとチャンネルがデクリメントされる。画面２６２についても中央上部領域２７４、中央下部領域２７６の接触を通じて同様の操作を実行することができる。
【００３８】
このとき、ユーザは、タッチ検知部２１８を通じて、複数の画面のうち所望する任意の画面を拡大することができる。
【００３９】
図５は、画面制御部２４０による他の画面表示例を示した外観図である。特に図５（ａ）では画面２６０の拡大を、図５（ｂ）では画面２６２の拡大を示している。図５（ａ）では、ユーザが指で境界線２５０を矢印のように表示部２１４下側に推移させると、画面２６０が拡大され、連動して画面２６２が縮小される。こうして所望する画面２６０を拡大して視聴することが可能となる。
【００４０】
ここで、検知領域設定部２４２は、表示部２１４のそれぞれの画面に対応したアプリケーションの操作を受け付けるタッチ検知部２１８の検知領域を、タッチ検知部２１８を通じて境界線２５０が変更された後の複数の画面の大きさまたは境界線２５０の位置に応じて、いずれか１つの画面に対応した領域に設定する。上述した図５（ａ）の例では、その画面比において優先度の低い画面、例えば縮小された画面２６２と重畳した領域を検知領域に設定し、画面２６０に対応したプリケーションの操作を画面２６２におけるタッチ検知部２１８から行うこととする。
【００４１】
従って、例えば、画面２６２の右部領域２８０に接触すると画面２６０に表示されているワンセグ放送のチャンネルがインクリメントされ、左部領域２８２に接触するとチャンネルがデクリメントされる。さらに、画面２６２の上部領域２８４に接触すると画面２６２自体に表示されているワンセグ放送のチャンネルがインクリメントされ、下部領域２８６に接触するとチャンネルがデクリメントされる。
【００４２】
このように２つの画面２６０、２６２のチャンネル切換を、１つの画面２６２に割り当て、検知領域設定部２４２で設定された検知領域を少なくとも上下および左右といった独立した２つの系統で入力することができ、複数の画面を効率的かつ直感的に操作することが可能となる。また、拡大した画面２６０のチャンネル切換を、占有面積が大きく離間により区別がつき易い左右の領域２８０、２８２に割り当てることで、拡大した主たる画面２６０に対するその良好な操作性も維持される。
【００４３】
ここでは検知領域設定部２４２が縮小された画面２６２に検知領域を設定する実施形態を説明しているが、かかる場合に限られず、拡大された画面２６０に検知領域を集中させてもよい。
【００４４】
また、図５（ｂ）のように画面２６２を拡大した場合は、画面２６０に対応して検知領域が設定され、図５（ａ）同様、上下左右の操作入力（画面２６０中の領域２９０、２９２、２９４、２９６への入力）が可能となる。ただし図５（ｂ）では、左右部領域２９２、２９０で拡大された画面２６２を、上下部領域２９４、２９６で縮小された画面２６０を切換操作する。
【００４５】
画面制御部２４０は、さらに、複数の画面それぞれの表示領域に応じて、表示すべき画像の解像度、大きさ、配置の群のうち１または２以上を変更する。
【００４６】
図６は、画面制御部２４０による画面拡大の画面表示例を示した外観図である。特に図６（ａ）は、表示部２１４を均等分割している場合を、図６（ｂ）は、一方の画面２６０を拡大した場合を示している。図６（ａ）では、画面２６０の拡大と共に、解像度および大きさ（画面サイズ）を拡大し、さらにデータ放送の表示位置２９８を変更している。このような表示領域の最適化によって、ユーザは所望するテレビ番組を、適度に大きくかつ縦横比に違和感を覚えない画面で視聴することが可能となる。
【００４７】
また、ユーザがさらなる画面２６０の拡大を所望し、画面２６０の縦横比が逆転すると、画面制御部２４０は、ワンセグ放送の表示方向を９０°変更し、表示部２１４を横置きにして視聴させることもできる。
【００４８】
また、画面制御部２４０は、当該携帯通信端末１１０の起動時に領域記憶部２３０を参照して前回値と同じ領域状態で表示を開始する。かかる構成により、前回、携帯通信端末１１０を切断したときの画面の状態から再投入することができ、前回と同じ設定処理を再度実行することなく、最適な表示状態を形成することができる。
【００４９】
以上、説明した携帯通信端末１１０によって、携帯通信端末１１０の大型化を伴うことなく、表示部２１４の表面を有効利用し、表示形態に応じて適切に検知領域を設定することで、容易かつ直感的なユーザ操作が可能となる。
【００５０】
（端末操作方法）
次に、携帯通信端末１１０を操作する端末操作方法を説明する。
【００５１】
図７は、端末操作方法の全体的な流れを示したフローチャートである。ユーザが携帯通信端末１１０によるワンセグ放送の視聴を試みた場合、ワンセグ受信部２２６は、ワンセグ放送を受信し表示部２１４に表示する（Ｓ４００）。このときワンセグ受信部２２６は、２つのチューナを通じて２つのテレビ番組を同時に表示部２１４に表示することができる。
【００５２】
ユーザは、その２つのテレビ番組の視聴し易さに応じ、タッチ検知部２１８を通じて２つの画面比を変更することができ、携帯通信端末１１０は、かかるタッチ検知部２１８による境界線２５０の変更を検知すると（Ｓ４０２）、それに基づいて２つの画面の解像度、大きさ、配置を変更する（Ｓ４０４）。
【００５３】
このとき２つの画面の大きさが均等に配分されているかどうかが判断され（Ｓ４０６）、均等になっていれば、検知領域設定部２４２は、それぞれの画面に対応したアプリケーションの操作を受け付けるタッチ検知部２１８の検知領域を、それぞれの画面に対応した（画面と重畳した）領域に設定する（Ｓ４０８）。均等となっていなければ、検知領域設定部２４２は、表示部２１４のそれぞれの画面に対応したアプリケーションの操作を受け付けるタッチ検知部２１８の検知領域を、２つの画面の大きさまたは境界線２５０の位置に応じて、いずれか１つの画面に対応した領域に設定する（Ｓ４１０）。
【００５４】
このように検知領域設定部２４２によって設定された検知領域において、ユーザのさらなる入力があった場合（Ｓ４１２）、例えば、２つの画面の大きさが均等でない場合に検知領域に設定された１つの画面上の左右いずれかを触れると（クリックされると）、他の画面のチャンネルが変更される（Ｓ４１４）。そして、上記の処理が繰り返される。
【００５５】
かかる端末操作方法によっても、携帯通信端末１１０における表示形態に応じて適切に検知領域を設定することで、容易かつ直感的なユーザ操作が可能となる。
【００５６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５７】
例えば、上述した実施形態においては、表示部２１４の全画面を２分割する例を挙げて説明しているが、分割数はかかる場合に限られず、３分割や４分割といった３以上に分割した場合においても本実施形態を適用することが可能である。
【００５８】
なお、本明細書の端末操作方法における各工程は、必ずしもフローチャートとして記載された順序に沿って時系列に処理する必要はなく、並列的あるいはサブルーチンによる処理を含んでもよい。
【産業上の利用可能性】
【００５９】
本発明は、複数の画面を並べて表示することが可能な携帯通信端末および端末操作方法に利用することができる。
【図面の簡単な説明】
【００６０】
【図１】無線通信システムの概略的な接続関係を示した説明図である。
【図２】携帯通信端末のハードウェア構成を示した機能ブロック図である。
【図３】携帯通信端末の外観を示した斜視図である。
【図４】画面制御部による画面表示例を示した外観図である。
【図５】画面制御部による他の画面表示例を示した外観図である。
【図６】画面制御部による画面拡大の画面表示例を示した外観図である。
【図７】端末操作方法の全体的な流れを示したフローチャートである。
【符号の説明】
【００６１】
１１０  …携帯通信端末
２１４  …表示部
２１８  …タッチ検知部
２３０  …領域記憶部
２４０  …画面制御部
２４２  …検知領域設定部
２５０  …境界線
【図１】
0005016553.tif 000002
【図２】
0005016553.tif 000003
【図３】
0005016553.tif 000004
【図４】
0005016553.tif 000005
【図５】
0005016553.tif 000006
【図６】
0005016553.tif 000007
【図７】
0005016553.tif 000008